(57)【特許請求の範囲】
【請求項１】
第１のネットワーク（Ｎ１）に装置（ＭＴ５）を関連付け、上記第１のネットワーク内の通信は第１のチャネルで行われる方法であって、上記装置のレベルにおいて、
上記第１のチャネルを検出する段階と、
上記第１のネットワーク及び第２のネットワーク（Ｎ２）からの信号間の上記チャネル上での衝突を判定する段階と、
衝突がある場合、上記第１のネットワークにチャネル変更要求を送信する段階とを含むことを特徴とする方法。
【請求項２】
衝突が検出されない場合、上記第１のネットワークの基地局に上記装置を関連付ける段階を更に含むことを特徴とする請求項１記載の方法。
【請求項３】
上記第１のネットワークが、衝突が検出されないチャネルを自動追尾するまで請求項１記載の段階を繰り返す段階を更に含むことを特徴とする請求項１又は２記載の方法。
【請求項４】
上記チャネル変更要求は、上記第１のネットワークの識別子を含むことを特徴とする請求項１乃至３のうちいずれか一項記載の方法。
【請求項５】
上記チャネル変更要求は、上記装置の識別子を含むことを特徴とする請求項１乃至４のうちいずれか一項記載の方法。
【請求項６】
上記チャネル変更要求は、上記第１のネットワークに対し提案されるチャネルを示すパラメータを含むことを特徴とする請求項１乃至５のうちいずれか一項記載の方法。
【請求項７】
上記チャネル変更要求は、上記第１のネットワークに既に送信された上記チャネル変更要求の回数を示すパラメータを含むことを特徴とする請求項１乃至６のうちいずれか一項記載の方法。
【請求項８】
上記装置は、関連付けの前に、上記第１のネットワークのセントラルコントローラの識別子を知っており、
上記第１のネットワークに送信されるフレームは上記セントラルコントローラを識別するフィールドを含むことを特徴とする請求項１乃至７のうちいずれか一項記載の方法。
【請求項９】
上記衝突の判定は、上記第１のネットワークに送信される少なくとも幾つかのフレーム又はフレームの一部が復号不可である事実を検出することによって行われることを特徴とする請求項８記載の方法。
【発明の詳細な説明】
【０００１】
本発明は、装置を、隣接する別のネットワークと同一の送信周波数リソースを共有することが可能である通信ネットワーク、特にローカルネットワークに関連付けする方法に関する。本発明は特に、装置が既存のネットワークに関連付けられるべき際の広帯域無線アクセスネットワーク（ＢＲＡＮ）のフレームワークに適用される。
【０００２】
ＦＤＭＡモードにおいて無線リソースの共有を使用するローカルネットワークは、有限のチャネルの組から１つのチャネルを使用することを必要とし、これは、標準化団体によって与えられ且つ与えられる。
【０００３】
一般的に、相互妨害を阻止するためには様々なチャネルを調べる技術を用いることが賢明である。チャネルの組の一部のみを傾聴する、或いは、全てのチャネルを調査するかのどちらかに制限することが全く可能である。この傾聴段階の終わりにおいて、ネットワークを形成することを希望する機器は、無線活動がないと思われるチャネルを選択する。ダイナミック周波数選択（ＤＦＳ）機構について述べる。
【０００４】
多数のローカルネットワークから構成される環境において、地理的に近い２つのネットワークが、互いを干渉することなく同一の周波数を選択する可能性がある。このことは、このサービスのための専用チャネルの個数が少ないほど一層起こりうる。
【０００５】
しかし、ネットワークに関連付けされなければならない装置は、他のネットワークの基地局と通信可能でなければならない場合もある。この場合、この装置のレベルにおいて２つのネットワークから発生するフレームの衝突という問題が発生する。
【０００６】
本発明は、上記の問題を改善することを目的とする。
【０００７】
本発明は装置を第１の通信ネットワークに関連付ける方法を主題とし、第１のネットワークにおける伝送は第１のチャネルで行われ、本発明の方法は、
（ａ）上記装置によって上記第１の伝送チャネルを検出する段階と、
（ｂ）上記第１のネットワーク及び第２のネットワークからの信号間の上記チャネル上での衝突を判定する段階と、
（ｃ）衝突がある場合は、上記第１のネットワークにチャネル変更要求を送信する段階とを含むことを特徴とする。
【０００８】
特定の実施例では、本発明の方法は更に、衝突が検出されない場合は、上記第１のネットワークの基地局に上記装置を関連付ける段階を含む。
【０００９】
特定の実施例では、本発明の方法は更に、上記第１のネットワークが、衝突が検出されないチャネルを自動追尾するまでクレーム（ａ）乃至（ｃ）の段階を繰り返す段階を含む。
【００１０】
特定の実施例では、上記チャネル変更要求は、第１のネットワークの識別子、装置の識別子、要求が送信された回数、及び、第１のネットワークに対する伝送チャネルの提案のうちの少なくとも１つのパラメータを含む。
【００１１】
本発明の他の特徴及び利点は、添付図面に説明される特定の例示的な実施例の説明により明らかとなろう。
【００１２】
本実施例は、HIPERLAN／２（《高性能無線ローカルネットワーク／２》）のローカルネットワークのフレームワーク内にある。このネットワークのタイプは、現在、欧州電気通信標準化機構（ＥＴＳＩ）において標準化されつつある。このネットワークに関する詳細は、ＥＴＳＩによって発行される以下の文書に詳細に記載される。
【００１３】
（ａ）ETR0230002 V 0.1.2 (April 1999) Broadband Radio Access Networks (BRAN); High Performance Radio Local Area Network (HIPERLAN) Type 2;システムの概要
（ｂ）DTS/BRAN030003-1 V 0.h (August 1999) Broadband Radio Access Network (BRAN); HIPERLAN Type 2 Functional Specification Data Link Control (DLC) layer Part 1−ベーシックデータのトランスポート機能
（ｃ）DTS/BRAN00240004-2 V 0.a (August 1999) Broadband Radio Access Network (BRAN) Packed based Convergence Layer for HIPERLAN and HIPERACCESS; Part 2:イーサネット（Ｒ）サービス向けコンバージェンスサブレイヤ
（ｄ）DTS/BRAN-0020004-2 V 0.a (July 1999) Broadband Radio Access Network (BRAN); HIPERLAN Type 2 Functional Specification; 無線リンク制御（ＲＬＣ）サブレイヤ
（ｅ）DTS/BRAN030003-1 V 0.j (September 1999) Broadband Radio Access Network (BRAN); HIPERLAN Type 2 Functional Specification Part 1−物理層（ＰＨＹ）
HIPERLAN２に関する他のＥＴＳＩ文書は文書（ａ）に言及される。
【００１４】
図１は、２つの住居を示し、それぞれローカルネットワークＮ１、Ｎ２を保持する。本発明はこの特定のケースに制限されるものではなく、２つのネットワークは、同一の建物内に位置していてもよい。各ネットワークは、中心装置又は基地局ＡＰ１、ＡＰ２を有する。これらの基地局は、各ネットワークＮ１及びＮ２それぞれの中心設備である。機能的な意味合いでは、基地局は、HIPERLAN２環境の《セントラルコントローラ》の機能を含む。
【００１５】
各ネットワークは更に、移動端末ＭＴｘを含み、移動端末は、ネットワークに関連付けされるアクセスポイントと通信する。この点に関し、ネットワークＮ１は、端末ＭＴ１及びＭＴ２を含み、一方、ネットワークＮ２は、端末ＭＴ３及びＭＴ４を含む。
【００１６】
新しい移動端末ＭＴ５が、既存のネットワークに組込まれるべき場合、この端末は周波数チャネルを考察する。ネットワークは充分なパワー及び了解度を有する信号が検出されるまでこれらのチャネルで伝送する。了解度は、端末によって検出される受信データ内のエラー率に関連する。
【００１７】
以下において、２つの端末Ｎ１及びＮ２は、最初は同一の伝送チャネルを使用すると仮定する。更に、例示目的として、端末ＭＴ５は、ネットワークＮ１の基地局及びネットワークＮ２の基地局の両方と通信可能であると仮定する。
【００１８】
２つのネットワークＮ１又はＮ２それぞれのトラフィックは時間フレームの全体を占有しない場合、新しい端末は、ネットワークのうちの少なくとも１つから情報を了解性であるよう受信する可能性を有する。本実施例では、これはネットワークＮ１である。一般的に、このようにして受け取る情報の最初の幾つかのアイテムは、ネットワークＮ１の識別子及びアクセスエンタイトルメントに関連する。この情報によって、端末は、このネットワークＮ１に関しアクセスエンタイトルメントを有するか否かを決定することができる。
【００１９】
本実施例では、端末ＭＴ５は、ネットワークの識別子の知識を予め有し、この識別子に端末ＭＴ５が関連付けされると仮定する。従って、端末ＭＴ５は、このネットワークに対応するフレームを認識する。この識別子は、《Network_Operator_ID》識別子であってよい。
【００２０】
この端末がネットワークＮ１にアクセスする権利を有する場合、端末は、関連付けと称される手順を開始し、この手順を介し端末はネットワークＮ１に登録され、その代わりに識別子を得る。この動作に関し一般的に実行されるプロトコルは、一端における端末と、他端における既に形成されるネットワークとの間にダイアログを必要とする。例えば、一般的に端末にネットワーク内における識別子を与える前に、端末の認証を行わなければならない。
【００２１】
本実施例では、端末とネットワークＮ１との間の通信は、ネットワークＮ２から発生する妨害の影響を受けてしまう。従って、関連付け手順が正確に行われる保証はない。というのは、この関連付け手順が正確に行われるか否かは、同時に作用するネットワークＮ２の活動に非常に強く依存するからである。端末からの関連付け要求に対するネットワークＮ１の応答は、端末のレベルにおいて、ネットワークＮ２のトラフィックの一部と衝突する可能性がある。このことは、端末ＭＴ５によって、幾らかのフレーム又はフレームの一部が復号不可である事実により検出される。端末ＭＴ５は、ネットワークＮ１からの関連付けメッセージを正確に受信不可能であるとき、干渉状況にあることを述べる。従って、例えば、別のネットワークのフレームである干渉信号は、干渉を検出しようとする装置については了解性である必要がない。端末はネットワークと関連付けされることを望み、そのネットワークのアクセスポイントのアドレスを単純に知る必要がある。
【００２２】
従って、端末は、今までの関連付け手順を行う代わりに、いわゆる緊急要求をネットワーク１に送信し、この要求は、ネットワークＮ１にダイナミック周波数選択を始動し、現在の周波数を除外することを求めることよりなる。この要求はネットワークＮ１の識別子も含み、これにより、２つのネットワークＮ１、Ｎ２が同時に周波数を変更することを阻止する。ネットワークは識別子を検出し、その識別子が自らにアドレス指定される場合にのみ反応を示す。
【００２３】
緊急要求は、ネットワークＮ１のHIPERLAN２フレームのＲＣＨフィールドに送信される。
【００２４】
本実施例では、緊急要求は、以下のパラメータを含む。
表１
【００２５】
【表１】
0004527336.tif 000002
３番目のパラメータは、移動端末の動作が劣悪である場合に、基地局ＡＰ１が端末の要求を受諾するか拒否するかの判断に影響を与えることができる。このフィールドは任意である。
【００２６】
ＢＣＣＨフィールドとは、HIPERLAN２に関する文書に記載されるフレームのフィールドである。
【００２７】
本発明の実施例の変形では、緊急要求は更に、端末側からのチャネルの提案を含む。この提案は、以下のように決定可能である。端末は様々なチャネルの活動を、例えば所定時間の間モニタし、従って、どのチャネルが空く可能性があるかを決定する。
【００２８】
この技術は、端末がネットワークＮ１によって正確に理解されることを保証する。というのは、端末は、ネットワークＮ１のフレームの予定される領域に要求を送信するからである。ネットワークＡは、この要求におけるネットワークＡの識別子を認識し、ＤＦＳを開始する。ＤＦＳの終わりにおいて、ネットワークＮ１は周波数を変更してあるので、端末は、この新しい周波数について通常の関連付け手順を開始するが、これは、当然のことながら、第３のネットワークとの衝突がない条件の場合に開始する。
【００２９】
端末の緊急要求は、ネットワークＮ２のメンバによって、了解性であるよう受信されるか又はこのネットワークのトラフィックの一部と衝突して受信される。
【００３０】
衝突がある場合には、衝突は、繰り返し機構によって解決されるか、又は、ネットワークＮ２によって用いられるエラー補正コーディングによって解決される。この要求は短いので、ネットワークＮ２の活動を非常に局所的にのみ妨害する。
【００３１】
要求の了解性の復号化の場合は、ネットワークＮ２のメンバは、ＤＦＳ要求はネットワークＮ１に関連するものであることを理解するので、ＤＦＳは実施されない。
【図面の簡単な説明】
【図１】  本発明の例示的な実施例である方法を実施する２つのローカルネットワークを示す図である。
【図２】  本発明の例示的な実施例の方法のフローチャートである。
【図１】
0004527336.tif 000003
【図２】
0004527336.tif 000004